(57)【要約】      （修正有）【課題】畳に設けた通気層に通常の畳上荷重が加わっても潰れ拡がりを阻止した波状多孔通気材を介在して上記通気層を確保床置き畳を提供する。【解決手段】畳の断層構造として、下層から上層に向けて順次に、通気性裏打ち布地１０・厚紙１１・木質繊維下層板１２・通常の畳上荷重が加わっても潰れ拡がりを阻止した波状多孔通気材８による通気層９・木質繊維上層板１３・通気性厚手不織布１４を重合し、通気層９を確保した状態で前記各部材を畳床１５として垂直堅固に縫合した後、その上面に配置した畳表１６の縁布縫合辺を縁布で覆って畳床裏面に定着する一方、畳表１６の縁無し辺は畳床１５の縁無し側面に巻き込んで畳床１５の側面と裏面とに縫合した。【選択図】図１
2014088724.tif 000002
【特許請求の範囲】
【請求項１】
畳床に設けた通気層を確保する部材として、多数の稜線部と谷線部とを交互平行かつ等高に多列形成した硬質の多孔波板における稜線部同士または谷線部同士に張設固着した非伸縮性の通気不織布で、前記通常の畳上荷重を受けた多数の各稜線部同士または谷線部同士の潰れ拡がりを阻止した波状多孔通気材を用意する一方、畳の断層構造として、下層から上層に向けて順次に、通気性裏打ち布地・厚紙・木質繊維下層板・前記波状多孔通気材による通気層・木質繊維上層板・通気性厚手不織布を重合し、これら各部材を畳床として縫合した後、その上面に合わせ載せた畳表の縁布縫合辺に沿わせて縁下紙とその下側の通気縁布を畳床に縫合し、この縫合部から折り返して上になった縁布と縁下紙とで木質繊維上層板の側辺まで覆い、その下部における通気層の側辺は通気縁布だけで覆って、その延在辺を畳床の裏面に定着する一方、畳表の縁無し辺は畳床の縁無し側面に巻き込んで畳床の側面と裏面とに縫合した通気性床置き畳。
【請求項２】
前記畳床の縁無し辺の内側通気層にスペーサを介在した状態で、畳表の縁無し辺を畳床の縁無し側面に巻き込んで畳床の側面と裏面とに縫合することで、波状多孔通気材の縁辺を上記スペーサで保護したことを特徴とする請求項１に記載の通気性床置き畳。
【請求項３】
前記通気縁布として、長手に平行な粗織り帯域と密織り帯域とを幅方向に区分して織成した疎密織り縁布を用い、前記縫合部から折り返して上になった縁布密織り帯域と縁下紙とで木質繊維上層板の側辺まで覆い、その下部の通気層の側辺は通気縁布の粗織り帯域だけで覆って、その延在辺を畳床の裏面に定着することで、畳床の通気層と外気とを通気縁布の粗織り帯域で連通させた請求項１または請求項２に記載の通気性床置き畳。
【発明の詳細な説明】
【技術分野】
【０００１】
この発明は、通気性床置き畳に係り、特に本発明は、通常の畳上荷重では凹まず、通気性を確保でき、使用し易く、見栄えの良い通気性床置き畳に関する。
【背景技術】
【０００２】
近年、住宅の高気密化が進み、畳を敷く床面が木板フローリング床とか、ベニヤ合板を隙間無く敷き詰めた床、コンクリ打ち放し床やモルタル仕上げ床等の密閉構造の床面が多くなり、これら各床面に畳をそのまま敷設した場合、梅雨時などには、床面に近い畳裏面や裏縁部分は、湿気を帯び易く、一旦湿気を帯びると、この湿気放散は困難を極め、カビの発生原因となり、極めて不衛生であるし、多少ではあるが悪臭の原因にもなる。
【０００３】
この湿気対策のため、従来、特開２０１０−１１２１４３号公報（特許文献１）記載のように、畳下層材と畳中芯材との間に補強板を介在して畳床中間部に畳側面方向に連通する空間層を形成することで、湿気対策に対処した畳が周知である。
【０００４】
この文献１の湿り気防止畳は、畳裏地に保温断熱板を配層し、この保温断熱板に積層した畳下層材と畳中芯材との間に空気層の容積を変える補強板を配置し、畳中芯材の上層にクッション材を設け、表面を畳表で構成した湿り気防止畳である。
【０００５】
上記「空気層の容積を変える補強板」に関連した文献１の記載部分としては、その段落「０００６」の（ハ）のように、「上記の畳下層材と畳中芯材との間に空気容積、空間の大きさを変えることができる補強板と多重構造のダンボール板を用い通気性を良くし、畳の辺の短い方に平行に、図１のように枕木状に配置した補強板の厚みを変えることで、保温、断熱機能を増大させることができ、補強板とダンボール板とにかかる荷重は畳中芯材が全体に分散させダンボール板の中空構造と空間を保持できる。」との記載が有る。
【０００６】
ところが、上記の「図１のように枕木状に配置した補強板」とは、肝心な図１を見ると補強板では無く、実際には多重構造のダンボール板のことであり、このダンボール板は多重構造のため、上部からの荷重に対するダンボール板一枚当たりの潰れ寸法が小さくても、多重構造ダンボール板の全体的な潰れ寸法は、多重に積層したダンボール板の枚数に比例して大きくなる。
【０００７】
その上、畳中芯材には、前記枕木状に配置した多重構造のダンボール板を囲むように、細長い通気孔が明いているから、多重構造のダンボール板上の畳中芯材の肝心な中央部分の荷重強度は、著しく弱く、撓み易い状態にあり、畳中芯材の中央部分に加わった荷重が、畳表上の直径約１０ｃｍ程度の硬質円盤上に置いた約１００Ｋｇ程度の重錘荷重のような畳上居住者の踵体重や、家具の脚部重量等による畳表面に通常加わる畳上荷重（以下、通常の畳上荷重という）であっても、この荷重で畳中芯材は撓む結果となる。
【０００８】
このために畳中芯材は、その中央部分に加わった荷重を全体に分散できなくなるので、畳中芯材の中央部分が凹んでしまう結果となり、ついには多重構造のダンボール板の中空構造と空間を保持できなくなり、畳中芯材の凹みがますます大きくなるという悪循環を生じて、使い物にならなくなる畳も出てくるという根源的で切実な問題点が有る。
【０００９】
また、上記文献１における畳下層材と補強板との具体的固定手段としては、特許文献１の段落「０００４」の上から８行目から次行にかけて、「畳下層材（３）及び補強板（４）に畳中芯材（５）を積層し一体化する。」との記載が有り、また、段落「０００６」の（ニ）には、「（ロ）の畳下層材と、（ハ）の補強板を糊で接着し一体化した構成、構造とすることで、強度が増し多種多様の組み合わせができる。」との記載は有る。
【００１０】
ところが、補強板の上記固定手段以外の他の構成部材同士の固定手段、すなわち、畳裏地と保温断熱板・保温断熱板と畳下層材・畳中芯材とクッション材・クッション材と畳表との具体的な固定手段については、特許文献１の何処を見ても記載が全く無いし、示唆すらも無く、上記各部材の相互関係を説明する用語としては、単に「積層・設置・配置・設け・配層」というような抽象的な記載表現だけである。
【００１１】
したがって特許文献１では、畳下層材と補強板・補強板と畳中芯材以外の畳裏地・保温断熱板・クッション材・畳表の計４枚の構成部材は固定したり一体化せずに、畳を使用する度毎に適宜重ねて敷く湿り気防止畳であると推測できる。
【００１２】
すなわち、特許文献１の湿り気防止畳は、上記計４枚の非固定各部材を使用する度毎に適宜一枚ずつ積み重ね敷いて用いる畳だから、その使用に当たり、誠に面倒かつ、厄介で煩わしく、位置ズレも生じ易く不安定であるという根源的で切実な問題点が有る。
【００１３】
そこで、本件出願人は百歩譲って、上記問題点を解決すべく、特許文献１における前記非固定４枚の各構成部材を糊付け固定して用いた処、各構成部材間の糊付け層のために、畳の厚さ方向の通気性が著しく減少し、特に文献１における畳中芯材の通気孔は、クッション材の糊付け層や接着材層が塞いでしまうので、畳中芯材に明けた折角の通気孔が全部無駄なるという互いに相容れない本質的かつ大きい問題点が残った。
【００１４】
上記各問題点のほかに、特許文献１の湿り気防止畳は、畳の長辺側面３箇所に補強板の通気孔が大きく露見していることと、畳の積層断面構造が畳の周面全体から丸見えで、見栄えや体裁が著しく悪く、見苦しく、お粗末な感じの畳だから、床置き畳としては、使い物にならないという根源的で切実な問題点が有る。
【先行技術文献】
【特許文献】
【００１５】
【特許文献１】特開２０１０−１１２１４３号公報
【発明の概要】
【発明が解決しようとする課題】
【００１６】
本発明は、前記各問題点を除去し、通常の畳上荷重では通気性が悪化せず、使用し易く、凹まず、見栄えの良い通気性床置き畳を安価に多量提供することを目的とする。
【課題を解決するための手段】
【００１７】
本発明の上記目的は、先ず、畳床に設けた通気層を確保する部材として、多数の稜線部と谷線部とを交互平行かつ等高に多列形成した硬質の多孔波板における稜線部同士または谷線部同士に張設固着した非伸縮性の通気不織布で、前記通常の畳上荷重を受けた多数の各稜線部同士または谷線部同士の潰れ拡がりを阻止した波状多孔通気材を用意する。
【００１８】
そして、通気性床置き畳の断層構造として、下層から上層に向けて順次に、通気性裏打ちシート・厚紙・木質繊維下層板・前記波状多孔通気材による通気層・木質繊維上層板・通気性厚手不織布を重合し、前記通気層を確保した状態で前記各部材を畳床として垂直堅固に縫合する。
【００１９】
その後、畳床の上面に合わせ載せた畳表の縁布縫合辺に沿わせて縁下紙とその下側の通気縁布を畳床に縫合し、この縫合部から折り返して上になった縁布と縁下紙とで前記木質繊維上層板の側辺まで覆い、その下部における通気層の側辺は通気縁布だけで覆って、その延在辺を前記畳床の裏面に定着する一方、畳表の縁無し辺は畳床の縁無し側面に巻き込んで畳床の側面と裏面とに縫合したことで達成できた。
【００２０】
ただし、畳床の縁無し辺の内側における通気層にスペーサを介在した状態で、前記畳表の縁無し辺を畳床の縁無し側面に巻き込んで畳床の側面と裏面とに縫合することで、波状多孔通気材の縁辺を上記スペーサで保護してもよい。
【００２１】
また、通気縁布として、その長手に平行な粗織り帯域と密織り帯域とを幅方向に区分して織成した疎密織り縁布を用い、前記縫合部から折り返して上になった縁布密織り帯域と縁下紙とで木質繊維上層板の側辺まで覆い、その下部の通気層の側辺は通気縁布の粗織り帯域だけで覆って、その延在辺を畳床の裏面に定着することで、畳床の通気層と外気とを通気縁布の粗織り帯域で連通させてもよい。
【発明の効果】
【００２２】
本発明による通気性床置き畳を床面に置いて使用すると、波状多孔通気材における多列の各稜線部と谷線部には、木質繊維上層板から前記通常の畳上荷重が垂直に加わり、各稜線部同士や谷線部同士とにそれぞれ離隔する方向の拡開力が生じる結果、各稜線部と谷線部とは、それぞれ潰れる方向の押圧力を受ける。
【００２３】
ところが、各稜線部と谷線部とが潰れる方向の押圧力を受けても、稜線部同士や谷線部同士との拡開離隔は、前記多列の各稜線部同士間に張り渡して橋絡固着した非伸縮性の通気不織布の張力や、谷線部に対する木質繊維下層板上面の僅かな自食い込みで確実に阻止でき、各稜線部同士および谷線部同士は妄りに離隔しないので、通常の畳上荷重を受けた各稜線部および谷線部の潰れ拡がりと撓み曲がりとを阻止でき、波状多孔通気材による通気層を確実に維持できた。
【００２４】
したがって、この通気材に通常の畳上荷重が掛かっても、多数の稜線部および谷線部は潰れず、撓まず、曲がらないから、畳の使用中でも、この通気材が保有する縦・横・斜め・上下の全方向に通気が可能な通気層を長期間確保でき、畳床の湿気を通気縁布を経て畳の使用中に室内に良く放散できるから、住宅の高気密化が進んだ現在の住環境にも充分対処可能になったし、前記畳床を通常の縁付き畳と同様に畳表と縁布とで表装できたので、畳の積層断面構造が畳の周面から見えず、見栄えや体裁がよい床置き畳を提供できるという優れた効果が有る。
【００２５】
ただし、畳床の縁無し辺の内側における通気層にスペーサを介在すれば、このスペーサを介して畳表の縁無し辺を畳床の縁無し側面と裏面とに縫合し易くなると共に、波状多孔通気材の縁辺をスペーサで保護できるという効果を付加できる。
【００２６】
また、通気縁布として、その長手に平行な粗織り帯域と密織り帯域とを幅方向に区分して織成した疎密織り縁布を用い、前記縫合部から折り返した縁下紙と密織り帯域とで木質繊維上層板の側辺まで覆えば、縫合済の通気縁布の見栄えが一層良くなった。
【００２７】
これと共に、通気層の側辺は通気縁布の粗織り帯域だけで覆って、その延在端辺を畳床の裏面に定着することで、畳床の通気層と外気とを通気縁布の粗織り帯域で連通させれば、通気層と外気との通気性を、より一層向上させ得るという効果を付加できた。
【図面の簡単な説明】
【００２８】
【図１】本発明による床置き畳の要部縦断斜視図
【図２】多孔板の一例を示す要部拡大斜視図
【図３】この発明に用いる波状多孔通気材の大略斜視図
【図４】図３に示すものの部分的拡大斜視図
【図５】図１に示すものの要部拡大断面図
【図６】縁布と縁下紙とを畳床に縫合する例を示す断面図
【図７】縁布と縁下紙とを畳床に縫合した例を示す断面図
【図８】本発明に用いる通気縁布の他の例を示す斜視図
【図９】図８に示すものの部分的拡大平面図
【図１０】畳の乾燥テスト経過を示す実測チャート
【発明を実施するための形態】
【００２９】
本発明による通気性床置き畳の実施形態を図面と共に説明するが、その順序として、先ず、図１のような畳床１５に設けた肝心な通気層９を確保するための波状多孔通気材８の製造方法から説明する。この通気材８は、熱可塑性硬質プラスチック素材を加熱成形手段により、図２のような多列の通気孔１を有する平坦な多孔板２を先に作り、この多孔板２を現用一般の加熱成形加工して、図３・図４のような多数の稜線部３と谷線部４とを交互平行かつ等高に多列形成して上記各図のような多孔波板５を作る。
【００３０】
次いで、この多孔波板５における各稜線部３に非伸縮性の通気不織布６を図３・図４のように重合張設し、この不織布６と各稜線部３との橋絡線７を溶着等で固着することで、前記通常の畳上荷重を受けた多列の各稜線部３同士と谷線部４の潰れ拡がりや凹みを通気不織布６の張力で阻止し、全方向通気を確保した波状多孔通気材８を構成できた。
【００３１】
この波状多孔通気材８の具体な製造方法としては、先ず、ポリプロピレン等の熱可塑性硬質プラスチック素材を現用一般の加熱成形手段により、一辺が２ｍｍ程度の丸みを帯びた方形の通気孔１、または直径が２ｍｍ程度の円形の通気孔１を図２のように１ｍｍ程度のピッチで規則正しく全面に満遍なく形成した厚さ１ｍｍ程度で、現用一般の畳床縫合ミシン針を無理なく通す程度の剛性を有する熱可塑性多孔板２を先に作る。
【００３２】
次いで、上記多孔板２を現用一般の加熱型押し成形機械で、図３・図４のような上下５ｍｍ程度ずつの高さ（上下全高さ１０ｍｍ程度）の直線状稜線部３と直線状谷線部４との多数をそれぞれ通常の畳上荷重では稜線部３が木質繊維板面に潜り込まない程度の突設ピッチと形状、例えば１０ｍｍ程度ずつの突設ピッチで横断面がほぼ正弦波状に交互平行かつ等高に上記各図のような連続した波形に加熱軟化成形後、冷却硬化することで、すぺての方向に通気可能な多孔波板５を作る。
【００３３】
その後、上記多孔波板５における各稜線部３にそれぞれプラスチック繊維製不織布等の厚さ０．５〜１ｍｍ程度で僅かな剛性を有する非伸縮性の通気不織布６を図３・図４のように張り渡し、各稜線部３同士を通気不織布６で橋絡し、この橋絡状態を保持する。
【００３４】
次いで、上記橋絡線７における多数の稜線部３と通気不織布６とを現用一般の高周波溶着ミシンまたはヒートプレス溶着機械で加熱加圧することで、多列の各稜線部３を通気不織布６に加熱溶融後における冷却固化溶着力で一挙に固着でき、多数の稜線部３同士間に一枚の通気不織布６を満遍なく強固に橋絡張着した畳の平面輪郭に近い本発明に用いる図３・図４のような波状多孔通気材８による多数の通気層９を構成できた。
【００３５】
次に、上記通気材８を用いた本発明による通気性床置き畳の具体例を図と共に説明するが、以下の説明では畳のサイズとして、幅が８８ｃｍ程度・長さが１７６ｃｍ程度の現用一般サイズで、畳の厚さは３０ｍｍ程度とした床置き畳実施形態について述べる。
【００３６】
本発明による通気性床置き畳の断層構造は、図１・図５のように下層から上層に向けて順次に、ミシン縫い糸を畳床裏面に縫着するための通気性裏打ち布地１０・木材繊維や細片の突出や食みだしを防ぐ厚紙１１・適度な弾力と剛性とを畳床に付与する木質繊維下層板１２・畳床１５に通気性を付与するための波状多孔通気材８による前記通気層９・上記下層板１２と同様な作用を有する木質繊維上層板１３・木材繊維や細片の突出食みだしを防ぐと共に畳表面に適度の弾性を付与する通気性厚手不織布１４・畳の表装材としての畳表１５をそれぞれ順次に重合した断層構造である。
【００３７】
ただし、通気性裏打ち布地１０には、厚さ１ｍｍ程度の綿布を用い、厚紙１１には厚さ２ｍｍ程度のボール紙を用い、木質繊維下層板１２には木材繊維や細片を板状に圧縮固化した厚さ５ｍｍ程度で、適度な弾力と剛性とを畳床１５に付与する木質繊維板を用い、通気層９の厚さは１０ｍｍ程度とし、木質繊維上層板１３には上記下層板１２と同材で厚さ１０ｍｍ程度の木質繊維板を用い、通気性厚手不織布には厚さ２ｍｍ程度の通気性を有する不織布を用い、畳表には現用一般的ないぐさ製の通気性畳表を用いた。
【００３８】
次に、本発明による通気性床置き畳の具体的製造例に付いて説明すると、図１・図５のように上下の木質繊維板１２・１３間に通気不織布６を上側（または下側）にして配置した波状多孔通気材８も含め、前記断層構造による各部材１０〜１４を現用一般の畳床縫合ミシンで、図１のように前記通気層９を確保した状態で垂直堅固に縫合し、畳床１５を作った後、その上面に合わせ載せた畳表１６の縁布縫合辺１６Ａに沿わせて縁下紙１７とその下側に配置した通気縁布１８との各中間部を周知の手段で、図１・図６のように上記縁布縫合辺１６Ａに沿わせて畳床１５の縁付け辺１５Ａに縁縫い糸ｎで縫合する。
【００３９】
次いで、上記縁縫い糸ｎの部分から縁下紙１７と縁布１８とを図６の矢示方向に折り返し、下側になった縁下紙１７と上側になった縁布１８とで木質繊維上層板１３の側辺まで図７のように覆い、その下部における通気層９の側辺は同図７のように通気縁布１８だけで覆って、その延在辺を畳床１５の裏面に縫合・鋲止め・接着等適宜固定手段で定着する一方、畳表１６の縁無し辺１６Ｂは畳床１５の縁無し側面１５Ｂに巻き込んで畳床１５の裏面まで延ばし、図１のように畳床１５の側面と裏面に現用一般の手段で縫合することで、図１のような本発明による通気性床置き畳を構成できた。
【００４０】
本考案による通気性床置き畳は、以上のような構成となしたので、図１・図５のような畳の使用中に波状多孔通気材８の前記多列の各稜線部３には、木質繊維上層板１３から前記通常の畳上荷重が垂直に加わり、上記各稜線部３と谷線部４とで上層板１３を支持できると共に、この支持力で各稜線部３と谷線部４には、これら各部同士をそれぞれ離隔させる方向の拡開力が生じる結果、各稜線部３と谷線部４とは、それぞれ潰れ曲がる方向の押圧力を受ける。
【００４１】
ところが、稜線部３や谷線部４の上記潰れ曲がりと、その原因となる前記拡開力は、多列の各稜線部３同士間に図３〜図５のように張り渡して橋絡固着した非伸縮性の通気不織布６の張力で確実に阻止でき、各稜線部３同士および谷線部４同士は妄りに離隔しないので、通常の畳上荷重を受けた各稜線部３および谷線部４の潰れ拡がりと撓み曲がりとをそれぞれ確実に阻止できた。
【００４２】
したがって、多列の各稜線部３と谷線部４に前記通常の畳上荷重が掛かっても、多数の稜線部３および谷線部４は図１・図５のように潰れず撓まず、曲がらないので、本発明による波状多孔通気材８は、常にこの通気材８が保有する全方向通気層９を確実に維持でき、床置き畳の湿気を通気縁布１８を経て室内に放散できるから、前記通常の畳上荷重では通気性が悪化せず、使用し易く、凹まず、しかも前記畳床１５を通常の縁付き畳と同様に畳表１６と縁布１８（１８Ｃ）とで表装できたので、畳の積層断面構造が畳の周面から見えず、見栄えや体裁がよい床置き畳を提供でき、住宅の高気密化が進んだ現在の住環境にも充分対処可能になった。
【００４３】
ただし、畳床１５の縁無し側面１５Ｂの内側における通気層９に各木質繊維板と同材・同厚のスペーサ１９を上記各図のように介在すれば、このスペーサを介して畳表１６の縁無し辺１６Ｂを畳床１５の縁無し側面１５Ｂと裏面とに縫合し易くできたし、上記通気材８の縁辺をスペーサ１９で保護できる。
【００４４】
また、通気縁布１８として、その長手に平行な粗織り帯域１８Ａと密織り帯域１８Ｂとを図８・図９のように幅方向に区分して織成した疎密織り縁布１８Ｃを用い、前記縫合部から折り返した縁下紙１７と上記縁布１８Ｃの密織り帯域１８Ｂとで木質繊維上層板１３の側辺まで覆えば、縫合済の通気縁布１８の見栄えが一層良くなる。
【００４５】
さらに、前記通気層９の側辺は上記通気縁布１８Ｃの粗織り帯域１８Ａだけで覆って、その延在辺を畳床１５の裏面に上記各図のように定着することで、畳床１５の通気層９と外気とを粗織り帯域１８Ａで連通させれば、通気層９と外気との通気性を、より一層向上させ得る。
【００４６】
なお、本発明による波状多孔通気材の平面輪郭を床置き畳の平面輪郭に近似させれば、通常「サブロク板」と称する現用一般のベニヤ板サイズとなるので、その製造管理・梱包保管・運搬流通・販売購入・開梱使用・保守点検などのすべての面で扱い易くなり、価格的にも有利になる。
【００４７】
次に、畳の乾燥経過を実測するため、幅２６ｃｍ・長さ３７ｃｍ・厚さ３０ｍｍとした本発明による通気性床置き畳のテストサンプルと、波状多孔通気材８の代りに木質繊維板を用いた通気層９が無い現用一般の非通気床置き畳のテストサンプルとをそれぞれ用意し、両者を温度３４°Ｃ・相対湿度９８％に保った高温高湿槽（ＥＴＡＣ製／ＴＨ４０１ＨＡ）に入れ、２４時間放置した。
【００４８】
次いで、前記各畳サンプルの質量を初期質量（WO）として測定した後、各畳サンプルを温度３４°Ｃ・相対湿度２０％の高温低湿槽に入れ、両サンプルの質量を１０分毎に１２０分まで中間質量（Wt）として３回ずつ測定し、その平均値から乾燥量（ｇ）＝WO-Wt を各畳サンプルの乾燥量として求めた処、図１０に示すような結果を得た。
【００４９】
図１０における横軸は、各畳サンプルを上記高温低湿槽内に放置した経過時間（分）・左縦軸は、槽内放置畳の乾燥量（ｇ）・同じく右縦軸は、槽内相対湿度であり、四角ドットを結ぶ曲線は、本発明による通気性床置き畳サンプルの乾燥量変化・三角ドットを結ぶ曲線は、前記現用一般の非通気床置き畳のサンプルの乾燥量変化・×ドットを結ぶ曲線は、槽内相対湿度の時間変化をそれぞれを示す。
【００５０】
すなわち、上記図１０における畳の乾燥経過の実測曲線によれば、上記経過時間が６０分では、前記非通気床置き畳のサンプルの乾燥量が１３（ｇ）に対し、本発明による通気性床置き畳のサンプルの乾燥量は、２０（ｇ）と、約１．５倍の乾燥量であり、上記経過時間が１２０分では、非通気床置き畳のサンプルの乾燥量が６３（ｇ）に対し、本発明による通気性床置き畳のサンプルの乾燥量は、９５（ｇ）と、この結果も約１．５倍の乾燥量（ｇ）であった。
【産業上の利用可能性】
【００５１】
本発明による床置き畳を現用一般の座敷等に敷き詰める敷き込み畳とするには、前記木質繊維下板１２や木質繊維上層板１３の厚さを適宜増加することで、座敷や和室に敷き詰める敷き込み畳としても利用できる。
【符号の説明】
【００５２】
１…通気孔                １５…畳床
２…多孔板                １５Ａ…畳床の縁付け辺
３…稜線部                １５Ｂ…畳床の縁なし側面
４…谷線部                １６…畳表
５…多孔波板              １６Ａ…畳表の縁布縫合辺
６…通気不織布            １６Ｂ…畳表の縁なし辺
７…橋絡線                １７…縁下紙
８…波状多孔通気材        １８…通気縁布
９…全方向通気層          １８Ａ…縁布粗織り帯域
１０…通気性裏打ち布地      １８Ｂ…縁布密織り帯域
１１…厚紙                  １８Ｃ…疎密織り縁布
１２…木質繊維下層板        １９…スペーサ
１３…木質繊維上層板          ｎ…縁縫い糸
１４…通気性厚手不織布
【図１】
2014088724.tif 000003
【図２】
2014088724.tif 000004
【図３】
2014088724.tif 000005
【図４】
2014088724.tif 000006
【図５】
2014088724.tif 000007
【図６】
2014088724.tif 000008
【図７】
2014088724.tif 000009
【図８】
2014088724.tif 000010
【図９】
2014088724.tif 000011
【図１０】
2014088724.tif 000012